(57)【特許請求の範囲】
【請求項１】
景品球払出装置等が組付けられるプラスチック製の機構板をパチンコ機裏面の遊技盤取付枠に装着してなるパチンコ機において、該機構板の周側壁に上半部が幅広で下半部が幅狭なる鉤孔状の係合孔を一体に形成し、該機構板の裏面をカバーするプラスチック製の裏板の周縁部に先端に幅広部が形成された爪状の係合片を一体に形成し該係合片の幅広部を前記係合孔の上半部に貫挿して該裏板を下方にスライドさせることにより該幅広部を該係合孔の下半部に係合させ該裏板を該機構板に取り付けるようにし、裏板の一部に枢支した開閉蓋の裏側に先端部が該開閉蓋の枢支軸側へ折曲した係合爪を一体に形成すると共に、機構板の一部に該開閉蓋を閉じた際に該係合爪の先端部が係合する係合部を一体に形成したことを特徴とするパチンコ機。
【請求項２】
景品球払出装置等が組付けられるプラスチック製の機構板をパチンコ機裏面の遊技盤取付枠に装着してなるパチンコ機において、該機構板の周側壁に上半部が幅広で下半部が幅狭なる鉤孔状の係合孔を一体に形成し、該機構板の裏面をカバーするプラスチック製の裏板の周縁部に先端に幅広部が形成された爪状の係合片を一体に形成し該係合片の幅広部を前記係合孔の上半部に貫挿して該裏板を下方にスライドさせることにより該幅広部を該係合孔の下半部に係合させ該裏板を該機構板に取り付けるようにし、裏板の一部に枢支した開閉蓋に該開閉蓋を閉じた際に機構板の一部に係止し該裏板の上方スライドを制止させる掛止部を一体に形成し、該開閉蓋の裏側に先端部が該開閉蓋の枢支軸側へ折曲した係合爪を一体に形成すると共に、機構板の一部に該開閉蓋を閉じた際に該係合爪の先端部が係合する係合部を一体に形成したことを特徴とするパチンコ機。
【発明の詳細な説明】
【０００１】
【産業上の利用分野】
本発明は、パチンコ機の裏側に装着される機構板に関し、さらに詳しくは機構板に対してその裏板を簡便に取り付け得る構造に関するものである。
【０００２】
【従来の技術】
パチンコ機の主要構成部材の一つである機構板は、周知のように、景品球払出樋，球抜樋，景品球オーバーフロー樋等をプラスチックにより一体に成形してなる長方形枠状形態のもので、該機構板に景品球払出装置，入賞球排出制御装置、或いは景品球タンク，配電盤等を組込み、これをパチンコ機裏面の遊技盤取付枠に装着することによりパチンコ機を構成し得るものである。
【０００３】
ところで上記景品球払出樋，景品球オーバーフロー樋，玉抜樋等は、従来では該機構板の裏面を被う裏板を専らビスにより固着することにより組立てられていた。
【０００４】
【発明が解決しようとする課題】
このため組立てに時間が掛かり製造コストを上昇させると共に、ビスの締めわすれ或いは締め加減が適切でないこと等に起因する不良品発生のおそれがあるので、品質管理も煩雑になるなどの問題があった。
【０００５】
【課題を解決するための手段】
本発明のパチンコ機は上記課題を解決しようとするもので、景品球払出装置等が組付けられるプラスチック製の機構板をパチンコ機裏面の遊技盤取付枠に装着してなるパチンコ機において、該機構板の周側壁に上半部が幅広で下半部が幅狭なる鉤孔状の係合孔を一体に形成し、該機構板の裏面をカバーするプラスチック製の裏板の周縁部に先端に幅広部が形成された爪状の係合片を一体に形成し該係合片の幅広部を前記係合孔の上半部に貫挿して該裏板を下方にスライドさせることにより該幅広部を該係合孔の下半部に係合させ該裏板を該機構板に取り付けるようにし、裏板の一部に枢支した開閉蓋の裏側に先端部が該開閉蓋の枢支軸側へ折曲した係合爪を一体に形成すると共に、機構板の一部に該開閉蓋を閉じた際に該係合爪の先端部が係合する係合部を一体に形成したことを特徴とする。
【０００６】
また本発明のパチンコ機は、景品球払出装置等が組付けられるプラスチック製の機構板をパチンコ機裏面の遊技盤取付枠に装着してなるパチンコ機において、該機構板の周側壁に上半部が幅広で下半部が幅狭なる鉤孔状の係合孔を一体に形成し、該機構板の裏面をカバーするプラスチック製の裏板の周縁部に先端に幅広部が形成された爪状の係合片を一体に形成し該係合片の幅広部を前記係合孔の上半部に貫挿して該裏板を下方にスライドさせることにより該幅広部を該係合孔の下半部に係合させ該裏板を該機構板に取り付けるようにし、裏板の一部に枢支した開閉蓋に該開閉蓋を閉じた際に機構板の一部に係止し該裏板の上方スライドを制止させる掛止部を一体に形成し、該開閉蓋の裏側に先端部が該開閉蓋の枢支軸側へ折曲した係合爪を一体に形成すると共に、機構板の一部に該開閉蓋を閉じた際に該係合爪の先端部が係合する係合部を一体に形成したことを特徴とする。
【０００８】
【作用】
機構板の裏面に裏板を当てて下方にスライドさせるだけで裏板をワンタッチで簡単に、しかも確実に取り付けできる。
【０００９】
【実施例】
次に図面と共に本発明に係るパチンコ機の一実施例を説明する。図１にこのパチンコ機の機構板を示す。この機構板１はプラスチックの射出成形により方形枠状に形成されたもので、その一側裏側に竪長状の景品球払出樋２および球抜樋３が区画形成され、該景品球払出樋２中には景品球払出装置４，鈴５等が設けられ該景品球払出樋２の下端はパチンコ機前面の上部玉受皿に開口する景品球払出口６が形成されている。なお球抜樋３の下端はアウト球排出口７に連通している。また８は上部玉受皿が景品球により満杯になったときにその球を下皿にオーバーフローさせるオーバーフロー樋で、該オーバーフロー樋８は該機構板１の下部に一体に形成されている。９は該オーバーフロー樋８に設けられた鈴、１０は該オーバーフロー樋８の球詰りをリミットスイッチにより検出するために設けられた可動片である。
【００１０】
１１は該機構板１の下部に組込まれた入賞球排出制御装置である。該入賞球排出制御装置１１はモータ１２が作動することにより入賞球をカンチレバー１３に押圧させ該カンチレバー１３に一端が連結されたリンク１４が押し上げられることにより景品球払出装置４を作動させ所定数の景品球を景品球払出樋２に流落させる。なお該入賞球排出制御装置１１の近くには後述する掛止片３６が機構板１に固着されたオーバーフロー樋８より一体に突設されている。
【００１１】
１５は機構板１の上部に設けられた景品球タンク、１６は該機構板１の上部片隅に設けられた配電盤である。また、１７，１８は景品球タンク１５の景品球を景品球払出装置４に供給するため機構板１にビス又はその他の固着手段により固着された傾斜樋および屈曲樋である。該屈曲樋１８は傾斜樋１７を通して流落して来た景品球を三列に整流し景品球払出装置４に供給するもので、該屈曲樋１８には景品球の有無を検出するためのリミットスイッチ１９が設けられている。また、該屈曲樋１８の入口部には操作片２１を押圧することにより開閉する球抜弁２０が設けられ、該球抜弁２０が開かれると景品球が球抜樋３に流落しアウト球排出口７に排出し得るようになっている。なお該屈曲樋１８の表面には後述する掛止孔３３が開設されている。また該掛止孔３３の近くにビス３４を固植し該ビス３４に掛止片３５を回転自在に設けている。
【００１２】
また、２２は該機構板１の一側に突設された枢軸で、該枢軸２２をパチンコ機裏面の遊技盤取付枠（図示せず）に対設した受金具にヒンジすることにより該機構板１を該枢軸２２を支点として水平面内で回転可能に枢着すると共に、該機構板１の他側に設けられた締付具２３を該遊技盤取付枠に係脱し装着できるようにしている。
【００１３】
図２に該機構板１の景品球払出樋２，球抜樋３，鈴５，オーバーフロー樋８，鈴９等を裏面からカバーするためにプラスチックにより成形された略Ｌ形の裏板２５を示し、図３にはこれをさらに裏側から示す。該裏板２５の上縁部には水平に枢支部２６が設けら該枢支部２６に前記景品球払出装置４を開閉自在に被う第１の開閉蓋２７が枢支されている。なお３７は裏板２５の上部一側に球抜樋３を被うために延設された細長状部である。３８，３８は該開閉蓋２７の先端に一体に形成された鉤状の掛止部で、該掛止部３８，３８は前記掛止孔３３，３３に嵌着し得る。
【００１４】
また該裏板２５の下部には前記入賞球排出制御装置１１に臨む窓孔２８が開設され、該窓孔２８の下縁に設けた枢支部２９に第２の開閉蓋３０を枢支し、該開閉蓋３０により窓孔２８を開閉し得るようにしている。なお３９は前記掛止片３６が係合し得るように該開閉蓋３０の一部に開設された掛止孔である。また６０，６０は該開閉蓋３０の裏側に一体に形成された係合爪で、該係合爪６０，６０の先端部６１は枢支部２９側に折曲している。そして機構板１の入賞球排出制御装置１１が設けられた室壁の下縁部には該各係合爪６０，６０の先端部６１，６１が係合する係合部６２，６２が一体に形成されている。
【００１５】
しかして機構板１における上記景品球払出樋２，球抜樋３，オーバーフロー樋８を形成させる周側壁４２の内側に複数の係合孔４０，４０，４０，…を適宜間隔を置いて一体に形成すると共に、裏板２５の周縁部に該各係合孔に合致する爪状の係合片５０，５０，５０，…を一体に突設する。
【００１６】
係合孔４０，４０，４０，…は、図６に示したように周側壁４２の内側にコ字形枠４３を一体に形成して縦長スリット状開口を形成すると共に、上半部４０ａが幅広で下半部４０ｂが幅狭となるように該コ字形枠４３の周側壁４２内面との対向面の下半部４０ｂに突起４４を一体に形成してなる。
【００１７】
また、係合片５０，５０，５０，…は、先端に幅広部５１がクサビ状に一体に形成され、該幅広部５１の幅寸法Ｗは該上半部４０ａの幅寸法Ｗ１より狭く下半部４０ｂの幅寸法Ｗ２より広いものとなっていて、該幅広部５１は上半部４０ａに貫挿し得る。
【００１８】
このため該裏板２５を機構板１に装着するに際しては、機構板１の裏面の各係合片５０，５０，５０，…の先端を機構板１の各係合孔４０，４０，４０，…の上半部４０ａに貫挿し該裏板２５を下方にスライドさせることにより該各係合片５０，５０，５０，…の幅広部５１を下半部４０ｂに移動させ突起４４に係合させる。
【００１９】
そして第１の開閉蓋２７をはね上げて該開閉蓋２７の上端縁に形成された掛止部３８，３８を掛止孔３３，３３に嵌着すると共に、掛止片３５を回転させて該開閉蓋２７上に掛止することにより景品球払出装置４を該開閉蓋２７により被う。このとき掛止部３８，３８が掛止孔３３，３３中に嵌着することにより、裏板２５が上にスライドできないようになるので裏板２５を確実に機構板１に取り付けることができる。なお、開閉蓋２７は景品球払出装置４で球詰まり等が発生し点検の必要が生じたとき等に掛止片３５を該開閉蓋２７上から外すだけで簡単に開けることができる。
【００２０】
また、窓孔２８を第２の開閉蓋３０をはね上げることによって閉じてその掛止孔３９に掛止片３６を係合させることによりその閉止状態が保持される。なお該掛止片３６と掛止孔３９との係合は該掛止片３６で指先で押すことにより該掛止片３６が弾性的にたわんで掛止孔３９縁から外れるので入賞球排出制御装置１１で球詰まりが発生しカンチレバー１３を操作しなければならないとき等に該開閉蓋３０を簡便に開けることができる。
【００２１】
そして該開閉蓋３０を閉じるとき該開閉蓋３０の裏側に一体に形成された係合爪６０，６０の先端部６１，６１が窓孔２８下縁部の係合部６２，６２に係合することにより、該開閉蓋３０が該係合爪６０，６０を介して機構板１側に引き寄せられ裏板２５を機構板１に密着させるので、裏板２５の下縁部が機構板１から浮き上がった状態で取り付けられるようなことがない。
【００２２】
【発明の効果】
このように本発明のパチンコ機では、裏板に一体に形成された係合片を機構板の係合孔に係合させるだけで裏板を機構板に対し簡単にしかも確実に装着できるようにしたものであるから、従来のビス止めのようなビスの締めわすれや締め加減不良等による不良品発生のおそれはなく組立コストが軽減され品質も向上するなど有益な効果がある。
【図面の簡単な説明】
【図１】本発明に係るパチンコ機の一実施例を示す機構板の斜視図。
【図２】本発明に係るパチンコ機の一実施例を示す機構板の裏板の斜視図。
【図３】同上裏板の裏側の斜視図。
【図４】本発明に係るパチンコ機の一実施例を示す機構板および裏板の側面図。
【図５】本発明に係るパチンコ機の一実施例を示す機構板および裏板の組付時の側面図。
【図６】同上の係合孔と係合片の分解斜視図。
【図７】同上の係合孔と係合片の係合時の斜視図。
【図８】本発明に係るパチンコ機の一実施例を示す機構板および裏板の組付時の斜視図。
【図９】図８のＡ−Ａ線断面図。
【図１０】図８のＢ−Ｂ線断面図。
【図１１】図８のＣ−Ｃ線断面図。
【符号の説明】
１            機構板
２          景品球払出樋
３          球抜樋
４          景品球払出装置
５          鈴
６          景品球払出口
７          アウト球排出口
８          オーバーフロー樋
９          鈴
１１        入賞球排出制御装置
１２        モータ
１３        カンチレバー
１４        リンク
１５        景品球タンク
１７        傾斜樋
１８        屈曲樋
２０        球抜弁
２２        枢軸
２３        締付具
２５        裏板
２６        枢支部
２７        開閉蓋
２８        窓孔
２９        枢支部
３０        開閉蓋
３３        掛止孔
３７        細長状部
３８        掛止部
３９        掛止孔
４０        係合孔
４０ａ      上半部
４０ｂ      下半部
４２        周側壁
４３        コ字形枠
４４        突起
５０        係合片
５１        幅広部
６０        係合爪
６１        先端部
６２        係合部
【図１】
0003594988.tif 000002
【図２】
0003594988.tif 000003
【図３】
0003594988.tif 000004
【図４】
0003594988.tif 000005
【図５】
0003594988.tif 000006
【図６】
0003594988.tif 000007
【図７】
0003594988.tif 000008
【図８】
0003594988.tif 000009
【図９】
0003594988.tif 000010
【図１０】
0003594988.tif 000011
【図１１】
0003594988.tif 000012